(57)【要約】【課題】左右方向の膨張を吸収するグロメットと、前後方向の膨張を吸収するグロメットを組み合わせて前後左右の膨張を吸収し、さらに、インストルメントパネルの裏面にグロメットを固定して表面側の美観を損なわずにインストルメントパネルを固定するインストルメントパネルの取付構造を提供する。【解決手段】車体に左右方向の係合孔３を形成し、その係合孔３に車体側グロメット４を左右方向にスライド可能に固定し、その車体側グロメット４に前後方向に延びるスライド棒７を形成し、そのスライド棒７にインストルメントパネル２５に固定されたインストルメントパネル側グロメット１３を前後方向にスライド可能に係合し、インストルメントパネル２５の前後方向・左右方向の膨張を車体側グロメット４とインストルメントパネル側グロメット１３によって吸収する。【選択図】　　　　図２
2004017830.tif 000002
【特許請求の範囲】
【請求項１】
車体とインストルメントパネルの間に、前後方向にスライドするグロメットと、左右方向にスライドするグロメットを介在させて前記インストルメントパネルを車体に取付け、インストルメントパネルの前後方向・左右方向の膨張量を吸収することを特徴とするインストルメントパネルの取付構造。
【請求項２】
車体に左右方向のスライド孔を形成し、そのスライド孔に車体側グロメットを左右方向にスライド可能に係合し、その車体側グロメットに前後方向に延びるスライド部を形成し、そのスライド部にインストルメントパネルに固定されたインストルメントパネル側グロメットを前後方向にスライド可能に係合し、インストルメントパネルの前後方向・左右方向の膨張量を車体側グロメットとインストルメントパネル側グロメットによって吸収することを特徴とするインストルメントパネルの取付構造。
【請求項３】
前記インストルメントパネル側グロメットのスライド部との係合部は、ハの字に開いた状態で切り欠かれ、ハの字の係合部の収束した部分は突片により形成されると共に収束した頂点にスライド部の受容部が形成され、受容部にスライド部が係合すると、突片が離脱を防止して外れないように保持することを特徴とする請求項２記載のインストルメントパネルの取付構造。
【請求項４】
前記車体側グロメットのスライドの部には、折れ・撓みを防止する補強加工が施されていることを特徴とする請求項２〜３いずれか記載のインストルメントパネルの取付構造。
【請求項５】
前記インストルメントパネル側グロメットはインストルメントパネルの裏面に固定されることを特徴とする請求項１〜４いずれか記載のインストルメントパネルの取付構造。
【発明の詳細な説明】
【０００１】
【発明の属する技術分野】
本発明はインストルメントパネルの熱膨張を吸収するインストルメントパネルの取付構造に関する。
【０００２】
【従来の技術】
一般的に、運転席前部には樹脂製のインストルメントパネルが配置されているが、このインストルメントパネルはフロントウインドから直射日光を受けるため、その照射による輻射熱によって膨張し、変形・亀裂等を生じてしまう。
このような、変形・亀裂を防止するために実公平５−２３５２号公報では、インストルメントパネルにダッシュアッパーへの取付部に凹部を形成し、その凹部の底部にインストルメントパネルの長手方向（左右方向）に延びる長孔を形成する構成が示されている。この凹部はダッシュアッパーに溶接された車体側ブラケットの上面に接しており、底部の長孔に挿通したインストルメントパネルの厚みより高いカラーを嵌めたボルトによりブラケット裏面にナットに螺合されて車体に取付けられ、インストルメントパネル表面側にはこの凹部を覆うカバーが設定されている。
このように構成しているため、熱膨張が生じても、インストルメントパネルは左右方向に自由に伸びることが可能となり、インストルメントパネルの変形・破損を防止する構成となっている。
【０００３】
【発明が解決しようとする課題】
しかしながら、前記実公平５−２３５２号公報の技術では、左右方向の伸びは長孔により吸収することができるが、前後方向の伸びは吸収することができないという問題があった。
また、左右方向だけでなく前後方向の伸びも吸収しようとすると、インストルメントパネルに大きな円形の逃げ孔を開けなくてはならず、インストルメントパネルを押さえるためにはこの逃げ孔径よりさらに大きな径のワッシャ等を介してボルト止めする必要がある。従って、取付部が大きくなり見栄えが悪いという問題があった。
本発明はかかる従来の問題点を解決するためになされたものであって、その目的とするところは、左右方向の膨張を吸収するグロメットと、前後方向の膨張を吸収するグロメットを組み合わせて前後方向・左右方向の膨張量を吸収し、さらに、インストルメントパネルの裏面にグロメットを固定して表面側の美観を損なわずにインストルメントパネルを車体に取付けるインストルメントパネルの取付構造を提供することにある。
【０００４】
【課題を解決するための手段】
前記目的を達成するための手段として本発明請求項１記載のインストルメントパネルの取付構造では、車体とインストルメントパネルの間に、前後方向にスライドするグロメットと、左右方向にスライドするグロメットを介在させて前記インストルメントパネルを車体に取付け、インストルメントパネルの前後方向・左右方向の膨張量を吸収する構成とした。
【０００５】
請求項２記載のインストルメントパネルの取付構造では、車体に左右方向のスライド孔を形成し、そのスライド孔に車体側グロメットを左右方向にスライド可能に係合し、その車体側グロメットに前後方向に延びるスライド部を形成し、そのスライド部にインストルメントパネルに固定されたインストルメントパネル側グロメットを前後方向にスライド可能に係合し、インストルメントパネルの前後方向・左右方向の膨張量を車体側グロメットとインストルメントパネル側グロメットによって吸収する構成とした。
【０００６】
請求項３記載のインストルメントパネルの取付構造では、請求項２記載のインストルメントパネルの取付構造において、前記インストルメントパネル側グロメットのスライド部との係合部は、ハの字に開いた状態で切り欠かれ、ハの字の係合部の収束した部分は突片により形成されると共に収束した頂点にスライド部の受容部が形成され、受容部にスライド部が係合すると、突片が離脱を防止して外れないように保持する構成とした。
【０００７】
請求項４記載のインストルメントパネルの取付構造では、請求項２〜３いずれか記載のインストルメントパネルの取付構造において、前記車体側グロメットのスライドの部には、折れ・撓みを防止する補強加工が施されている。
【０００８】
請求項５記載のインストルメントパネルの取付構造では、請求項１〜４いずれか記載のインストルメントパネルの取付構造において、前記インストルメントパネル側グロメットはインストルメントパネルの裏面に固定される構成とした。
【０００９】
【発明の作用及び効果】
請求項１記載のインストルメントパネルの取付構造では、直射日光の照射による輻射熱を受けたインストルメントパネルはその面方向に沿って前後方向、左右方向に膨張するが、車体とインストルメントパネルの間に、前後方向にスライドするグロメットと、左右方向にスライドするグロメットを介在させてインストルメントパネルを車体に取付けるので、インストルメントパネルの前後方向・左右方向の膨張量を吸収することができる。
【００１０】
請求項２記載のインストルメントパネルの取付構造では、車体に左右方向のスライド孔を形成し、そのスライド孔に車体側グロメットを左右方向にスライド可能に係合し、その車体側グロメットに前後方向に延びるスライド部を形成し、そのスライド部にインストルメントパネルに固定されたインストルメントパネル側グロメットを前後方向にスライド可能に係合したので、インストルメントパネルの熱膨張を吸収するのに必要な前後方向および左右方向のスライド量を得ることが可能となり、インストルメントパネル表面の歪みや亀裂の発生を防止できる。また、インストルメントパネル側グロメットはビス等でインストルメントパネルに固定するだけなので、固定部を簡単な構造とすることができ、固定作業が容易となる。
【００１１】
請求項３記載のインストルメントパネルの取付構造では、インストルメントパネル側グロメットのスライド部との係合部は、ハの字に開いた状態で切り欠かれているので、受容部に取付ける際のガイドとなり、組み立て作業性が向上する。
また、ハの字の係合部の収束した部分は突片により形成されると共に収束した頂点にスライド部の受容部が形成されているので、受容部にスライド部が係合すると、突片が離脱を防止して外れないように保持する。
【００１２】
請求項４記載のインストルメントパネルの取付構造では、前記車体側グロメットのスライドの部には、折れ・撓みを防止する補強加工が施されているので、インストルメントパネルが左右方向に熱膨張してインストルメントパネル側グロメットからスライド部に左右方向の力が作用した際にスライド部が撓むことなく車体側ブラケットを確実に左右方向にスライドさせることができる。
さらに、インストルメントパネル上面に手を着いた時のしっかり感も確保することができる。
【００１３】
請求項５記載のインストルメントパネルの取付構造では、インストルメントパネル側グロメットはインストルメントパネルの裏面に固定される構成としたので、インストルメントパネルの表面側に取付ボルトの露出を覆うカバーを設ける必要が無く、見栄えが向上する。
【００１４】
【発明の実施の形態】
以下、図面に基づいて本発明の実施の形態を説明する。
図１は車体に固定されたブラケットを示す斜視図、図２は車体側グロメットの側面図、図３は車体側グロメットのＢ矢視図、図４はＡ−Ａ断面図、図５はインストルメントパネル側グロメットの正面図、図６はインストルメントパネル側グロメットの側面図、図７はインストルメントパネルの取付構造の全体断面図である。
【００１５】
車室前方には樹脂製のインストルメントパネルが設置され、このインストルメントパネルは、ブラケットを介して左右両側及び中央部分を車体に取付けられている。
尚、中央部分の取付部はロケート構造とし、インストルメントパネルの車体への取付作業時の位置決めを行なっている。
車体前方には図１に示すようにインストルメントパネル２５（図示せず）を取付けるためのブラケット１が固定されている。
このブラケット１は車体のダッシュアッパー壁面２６から台形状に立設した状態で形成され、左右両側が車体に溶接等によって固着され、固着された部分から略前後方向に立設し、台形状のブラケット上面２は左右方向Ｙに延存する平面状に形成され、そのブラケット上面２に横長の係合孔３（スライド孔）が形成されている。
また、このブラケット上面２はやや上へ向いて傾斜し、この面に形成された横長の四角の係合孔３は車体側グロメット４が嵌着する孔であり、車体側グロメット４が左右方向Ｙにスライド可能に保持される。
【００１６】
前記車体側グロメット４は図２〜４に示すように、係合孔３に左右方向Ｙにスライド可能に保持される係合部５と、係合部５から斜めに屈曲した台座部６と、その台座部６に立設されて前後方向Ｘに延びるスライド棒７（スライド部）と、台座部６の下から延びてスライド棒の先端を支える補強部８を主要な構成としている。
前記係合部５は端部が開口した箱状の樹脂材であり、上下幅Ｈは係合孔３と略同一であるが、左右幅Ｗは係合孔３よりも小さく形成され、係合面９，９には係止爪１０を有する係止片１１が設けられ、係合部５を係合孔３に斜め上方から押し込むと、係止爪１０を乗り越えて係合溝１２に係合孔３が嵌まり、嵌合した後は、係合孔３に左右方向Ｙにスライド可能に保持される。
係止片１１は樹脂製であり可撓性があるので、係合孔３に押し込む時には内側方向に曲り、係合溝１２に係合孔３が嵌合した後は外側方向に開いて係合部５の離脱を防止する。
【００１７】
前記係合部５には斜めに屈曲した台座部６が形成され、その台座部６からはスライド棒７が前後方向Ｘに立設されている。このスライド棒７にインストルメントパネル側グロメット１３が係合し、インストルメントパネル側グロメット１３が前後方向Ｘにスライド可能に保持される。
台座部６からは下側に補強部８が延びてスライド棒７の先端に達し、スライド棒７の折れ、撓みを防止し、補強加工がなされている。
このスライド棒７は長さ数ｃｍの円柱材であるが、先端及び後端を支持されているので、折れ曲がらずにインストルメントパネルを保持することができる。尚、円柱材の他、角柱材等を同様に使用することができる。
このスライド棒７には図２の仮想線で示すインストルメントパネル側グロメット１３が保持されるようになる。
【００１８】
前記インストルメントパネル側グロメット１３は図５、６に示すように、幅材をくの字状に折り曲げた部材であり、車体側グロメット４に設けられたスライド棒７に垂直に係合される下部１４とそこからインストルメントパネル２５の構造に合わせて折れ曲がった上部１５によって構成されている。
また、下部１４には車体側グロメット４に設けられたスライド棒７に係合する係合部１６が配置され、上部にインストルメントパネル２５に嵌合する凸部１７と、螺子２０の挿通孔１８が配置されている。
インストルメントパネル２５との固定はインストルメントパネル側グロメット１３の上部１５に突設された凸部１７をインストルメントパネル２５の嵌合凹部１９に嵌め込み、螺子２０を螺子ねじ込み部２１に螺合させて両者を固定する。
前記係合部１６は、ハの字に開いた状態で切り欠かれ、下方がハの字に開き、上へ向かって徐々に収束し、収束部２２の頂点に円形の受容部２３が形成されている。
収束した部分は弾性を有する突片２４，２４によって構成され、インストルメントパネル側グロメット１３が固定されたインストルメントパネル２５を上方から車体側グロメット４に向って押付けると、スライド棒７は係合部１６に入り込み、スライド棒７は突片２４，２４の弾力に抗して通り抜けて係合し、係合した後は突片２４，２４によって後戻りが阻止され、外れないように保持される。
また、係合部１６はハの字に開いた状態で切り欠かれているのでインストルメントパネル２５を装着する際のガイドの役割も有し、スムーズに装着することができる。
【００１９】
図７はインストルメントパネル２５をインストルメントパネル側グロメット１３と車体側グロメット４を介して車体側ブラケット１に取付けた状態を示している。
インストルメントパネル側グロメット１３はインストルメントパネル２５の裏面側に設けられた凹部１９に凸部１７を嵌合させて、螺子２０によって固定されている。
そして、インストルメントパネル側グロメット１３は車体側グロメット４に前後方向Ｘにスライド可能に係合している。
スライド棒７には補強加工が施されているので、上からの荷重が加わっても、スライド部が折れたり、撓むおそれが無い。
車体側グロメット４は車体側ブラケット１に設けられた係合孔３に係合部５を係合させて、左右方向Ｙにスライド可能に係合している。
直射日光の照射による輻射熱によってインストルメントパネル２５が左右方向に膨張した場合には車体側グロメット４が車体側ブラケット１上を左右方向にスライドして左右方向の膨張量を吸収する。
インストルメントパネル２５が前後方向に膨張した場合には、インストルメントパネル側グロメット１３がスライド棒７上を前後方向にスライドして前後方向の膨張量を吸収する。
図中符号２７はフロントウインドである。
【００２０】
以上、本発明の実施の形態を説明してきたが、本発明の具体的な構成は本実施の形態に限定されるものではなく、発明の要旨を逸脱しない範囲の設計変更等があっても本発明に含まれる。
例えば、前記実施の形態では車体に左右方向にスライドするグロメット、インストルメントパネルに前後方向にスライドするグロメットを取付けたが、左右・前後のスライド方向は入れ換えることも可能である。
また、スライド棒は円柱材としたが、三角柱などの多角柱材とし、これに合わせた受容部形状とすることも可能である。
【図面の簡単な説明】
【図１】車体に固定されたブラケットを示す斜視図である。
【図２】車体側グロメットの側面図である。
【図３】車体側グロメットのＢ矢視図である。
【図４】Ａ−Ａ断面図である。
【図５】インストルメントパネル側グロメットの正面図である。
【図６】インストルメントパネル側グロメットの側面図である。
【図７】インストルメントパネルの取付構造の全体断面図である。
【符号の説明】
１　ブラケット
２　ブラケット上面
３　係合孔
４　車体側グロメット
５　係合部
６　台座部
７　スライド棒
８　補強部
９　係合面
１０　係止爪
１１　係止片
１２　係合溝
１３　インストルメントパネル側グロメット
１４　下部
１５　上部
１６　係合部
１７　凸部
１８　挿通孔
１９　嵌合凹部
２０　螺子
２１　螺子ねじ込み孔
２２　収束部
２３　受容部
２４　突片
２５　インストルメントパネル
２６　ダッシュアッパー壁面
２７　フロントウインド
【図１】
2004017830.tif 000003
【図２】
2004017830.tif 000004
【図３】
2004017830.tif 000005
【図４】
2004017830.tif 000006
【図５】
2004017830.tif 000007
【図６】
2004017830.tif 000008
【図７】
2004017830.tif 000009